(57)【要約】      （修正有）【課題】端子を支持する用具を絶縁した計測用具及び電気計測装置を提供する。【解決手段】計測用具１０が、被測定物に接触する導電端子１１と、被測定物の電気的特性を測定するための電気計測器と、導電端子１１とを接続する導体接続部１２と、導体接続部１２を覆う絶縁部１４と、導体接続部１２の導電端子１１側の端部と、絶縁部１４の導電端子１１側の端部とが固定される固定部１６と、絶縁部１４および導体接続部１２における、固定部１６とは反対側の部分を覆う把持部１８とを備える。さらに、固定部１６を引っ張った方向に、導体接続部１２および絶縁部１４が同じ長さだけ伸び、固定部１６を押した方向に、導体接続部１２および絶縁部１４が縮む。導体接続部１２および絶縁部１４が縮みきったときは、導体接続部１２の全てが絶縁部１４および把持部１８の内部に収容される。【選択図】図５
0003148543.tif 000002
【実用新案登録請求の範囲】
【請求項１】
被測定物に接触する導電端子と、
前記被測定物の電気的特性を測定するための電気計測器と、前記導電端子とを接続する導体接続部と、
前記導体接続部を覆う絶縁部と、
前記導体接続部の前記導電端子側の端部と、前記絶縁部の前記導電端子側の端部とが固定される固定部と、
前記絶縁部および前記導体接続部における、前記固定部とは反対側の部分を覆う把持部と、
を備え、
前記固定部を引っ張った方向に、前記導体接続部および前記絶縁部が同じ長さだけ伸び、
前記固定部を押した方向に、前記導体接続部および前記絶縁部が縮み、
前記導体接続部および前記絶縁部が縮みきったときは、前記導体接続部の全てが前記絶縁部および前記把持部の内部に収容される、
計測用具。
【請求項２】
請求項１に記載の計測用具であって、
前記固定部は導体であり、前記導電端子が前記固定部を介して前記導体接続部に接続されている、
計測用具。
【請求項３】
請求項１または２に記載の計測用具であって、
前記導体接続部は、
端部筒状導体と、
一以上の中間筒状導体を有し、
前記中間筒状導体の各々は、少なくともその一部が、他の前記中間筒状導体または前記端部筒状導体の内部に移動可能に収容され、
前記絶縁部は、
端部筒状絶縁体と、
一以上の中間筒状絶縁体を有し、
前記中間筒状絶縁体の各々は、その内部に、他の前記中間筒状絶縁体または前記端部筒状絶縁体の少なくとも一部を、移動可能に収容する、
計測用具。
【請求項４】
請求項３に記載の計測用具であって、
前記固定部に、前記端部筒状導体および前記端部筒状絶縁体が固定されている、
計測用具。
【請求項５】
請求項４に記載の計測用具であって、
前記端部筒状導体に固定されたねじにより、前記端部筒状導体が前記固定部に固定され、
前記端部筒状絶縁体の端面が、接着剤により、前記固定部に固定されている、
計測用具。
【請求項６】
請求項３に記載の計測用具であって、
前記導体接続部を伸ばしきったときに前記中間筒状導体を収容している側の前記端部筒状導体の収容端部の直径が、前記端部筒状導体の中央部分の直径よりも小さく、
前記導体接続部を伸ばしきったときに他の前記中間筒状導体を収容している側の前記中間筒状導体の収容端部の直径が、前記中間筒状導体の中央部分の直径よりも小さい、
計測用具。
【請求項７】
請求項３に記載の計測用具であって、
前記絶縁部を伸ばしきったときに他の前記中間筒状絶縁体または前記端部筒状絶縁体を収容している側の前記中間筒状絶縁体の収容端部の直径が、前記端部筒状絶縁体の中央部分の直径よりも小さい、
計測用具。
【請求項８】
請求項７に記載の計測用具であって、
前記絶縁部を伸ばしきったときに前記中間筒状絶縁体に収容されている前記端部筒状絶縁体の収容部分の上に、および、前記絶縁部を伸ばしきったときに他の前記中間筒状絶縁体に収容されている前記中間筒状絶縁体の収容部分の上に、前記中間筒状絶縁体の前記収容端部に引っかかる引掛部材が配置されている、
計測用具。
【請求項９】
請求項８に記載の計測用具であって、
前記引掛部材は、板ばねである、
計測用具。
【請求項１０】
請求項９に記載の計測用具であって、
前記板ばねを、前記収容部分に締め付けるリングを有する、
計測用具。
【請求項１１】
請求項１ないし１０のいずれか一項に記載の計測用具であって、
前記電気計測器は、絶縁抵抗計である、
計測用具。
【請求項１２】
請求項１ないし１０のいずれか一項に記載の計測用具であって、
前記導電端子が、先端部分を除いて、絶縁材料で覆われている、
計測用具。
【請求項１３】
請求項１ないし１２のいずれか一項に記載の計測用具と、
前記電気計測器と、
を備えた電気計測装置。
【考案の詳細な説明】
【技術分野】
【０００１】
本考案は、電気計測器用の端子の支持に関する。
【背景技術】
【０００２】
従来より、電気計測器（例えば、絶縁抵抗計）の端子（例えば、接触板）を支持する試験伸縮棒が知られている（例えば、特許文献１の図１を参照）。
【０００３】
【特許文献１】実開平５−８７５７１号公報
【考案の開示】
【考案が解決しようとする課題】
【０００４】
しかしながら、上記の従来技術における試験伸縮棒は、絶縁されていない部分があるため、短絡する恐れがある。
【０００５】
そこで、本考案は、電気計測器用の端子を支持する用具を絶縁することを課題とする。
【課題を解決するための手段】
【０００６】
本考案にかかる計測用具は、被測定物に接触する導電端子と、前記被測定物の電気的特性を測定するための電気計測器と、前記導電端子とを接続する導体接続部と、前記導体接続部を覆う絶縁部と、前記導体接続部の前記導電端子側の端部と、前記絶縁部の前記導電端子側の端部とが固定される固定部と、前記絶縁部および前記導体接続部における、前記固定部とは反対側の部分を覆う把持部と、を備え、前記固定部を引っ張った方向に、前記導体接続部および前記絶縁部が同じ長さだけ伸び、前記固定部を押した方向に、前記導体接続部および前記絶縁部が縮み、前記導体接続部および前記絶縁部が縮みきったときは、前記導体接続部の全てが前記絶縁部および前記把持部の内部に収容されるように構成される。
【０００７】
上記の考案によれば、導電端子が、被測定物に接触する。導体接続部が、前記被測定物の電気的特性を測定するための電気計測器と、前記導電端子とを接続する。絶縁部が、前記導体接続部を覆う。固定部が、前記導体接続部の前記導電端子側の端部と、前記絶縁部の前記導電端子側の端部とが固定される。把持部が、前記絶縁部および前記導体接続部における、前記固定部とは反対側の部分を覆う。前記固定部を引っ張った方向に、前記導体接続部および前記絶縁部が同じ長さだけ伸びる。前記固定部を押した方向に、前記導体接続部および前記絶縁部が縮む。前記導体接続部および前記絶縁部が縮みきったときは、前記導体接続部の全てが前記絶縁部および前記把持部の内部に収容される。
【０００８】
なお、本考案にかかる計測用具は、前記固定部は導体であり、前記導電端子が前記固定部を介して前記導体接続部に接続されているようにしてもよい。
【０００９】
なお、本考案にかかる計測用具は、前記導体接続部が、端部筒状導体と、一以上の中間筒状導体を有し、前記中間筒状導体の各々は、少なくともその一部が、他の前記中間筒状導体または前記端部筒状導体の内部に移動可能に収容され、前記絶縁部は、端部筒状絶縁体と、一以上の中間筒状絶縁体を有し、前記中間筒状絶縁体の各々は、その内部に、他の前記中間筒状絶縁体または前記端部筒状絶縁体の少なくとも一部を、移動可能に収容するようにしてもよい。
【００１０】
なお、本考案にかかる計測用具は、前記固定部に、前記端部筒状導体および前記端部筒状絶縁体が固定されているようにしてもよい。
【００１１】
なお、本考案にかかる計測用具は、前記端部筒状導体に固定されたねじにより、前記端部筒状導体が前記固定部に固定され、前記端部筒状絶縁体の端面が、接着剤により、前記固定部に固定されているようにしてもよい。
【００１２】
なお、本考案にかかる計測用具は、前記導体接続部を伸ばしきったときに前記中間筒状導体を収容している側の前記端部筒状導体の収容端部の直径が、前記端部筒状導体の中央部分の直径よりも小さく、前記導体接続部を伸ばしきったときに他の前記中間筒状導体を収容している側の前記中間筒状導体の収容端部の直径が、前記中間筒状導体の中央部分の直径よりも小さいようにしてもよい。
【００１３】
なお、本考案にかかる計測用具は、前記絶縁部を伸ばしきったときに他の前記中間筒状絶縁体または前記端部筒状絶縁体を収容している側の前記中間筒状絶縁体の収容端部の直径が、前記端部筒状絶縁体の中央部分の直径よりも小さいようにしてもよい。
【００１４】
なお、本考案にかかる計測用具は、前記絶縁部を伸ばしきったときに前記中間筒状絶縁体に収容されている前記端部筒状絶縁体の収容部分の上に、および、前記絶縁部を伸ばしきったときに他の前記中間筒状絶縁体に収容されている前記中間筒状絶縁体の収容部分の上に、前記中間筒状絶縁体の前記収容端部に引っかかる引掛部材が配置されているようにしてもよい。
【００１５】
なお、本考案にかかる計測用具は、前記引掛部材は、板ばねであるようにしてもよい。
【００１６】
なお、本考案にかかる計測用具は、前記板ばねを、前記収容部分に締め付けるリングを有するようにしてもよい。
【００１７】
なお、本考案にかかる計測用具は、前記電気計測器は、絶縁抵抗計であるようにしてもよい。
【００１８】
なお、本考案にかかる計測用具は、前記導電端子が、先端部分を除いて、絶縁材料で覆われているようにしてもよい。
【００１９】
本考案にかかる電気計測装置は、本考案にかかる計測用具と、前記電気計測器とを備えるように構成される。
【考案を実施するための最良の形態】
【００２０】
以下、本考案の実施形態を図面を参照しながら説明する。
【００２１】
図１は、本考案の実施形態にかかる電気計測装置１の構成を示す図である。電気計測装置１は、電気計測器２、コード４Ｅ、４Ｌ、ワニ口クリップ６、計測用具１０を備える。
【００２２】
電気計測器２は、被測定物（図示省略する）の電気的特性を測定するためのものである。電気計測器２は、例えば、絶縁抵抗計であり、被測定物は、例えば、家庭用分電盤である。電気計測器２は、接地ポート２Ｅ、ライン用ポート２Ｌを有する。接地ポート２Ｅには、コード４Ｅを介して、ワニ口クリップ６が接続されている。ライン用ポート２Ｌには、コード４Ｌを介して、計測用具１０が接続されている。接地されている導体にワニ口クリップ６を接続し、さらに、分電盤のブレーカー端子に計測用具１０の導電端子１１を接触させる。すると、電気計測器（絶縁抵抗計）２により、家庭用分電盤の対地絶縁抵抗を測定することができる。
【００２３】
なお、図１においては、計測用具１０が伸びている。これにより、高所に配置された分電盤のブレーカー端子に、導電端子１１を届かせるようにすることができる。また、後述するように、計測用具１０は、導電端子１１の先端を除き、絶縁体で覆われている。これにより、感電や、他の箇所（分電盤ボックスや他の測定対象電路）への短絡を防止している。
【００２４】
以下、本考案の実施形態における計測用具１０について詳細に説明する。
【００２５】
図２は、計測用具１０の正面図であり、計測用具１０が縮みきったとき（図２（ａ））、計測用具１０を伸ばしきったとき（図２（ｂ））を示す。図４は、計測用具１０が縮みきったときに、絶縁材料１３、１５、中間筒状絶縁体１４ｄ、把持部１８を透視して、内部構造を図示した正面図である。図５は、計測用具１０が伸びきったときに、絶縁材料１３、１５、絶縁部１４、把持部１８を透視して、内部構造を図示した正面図である。
【００２６】
図２（ｂ）および図５を参照して、計測用具１０は、導電端子１１、絶縁材料１３、１５、導体接続部１２、絶縁部１４、固定部１６、把持部１８を備える。
【００２７】
導電端子１１は、被測定物（例えば、家庭用分電盤）に接触する。導電端子１１は、その先端部分を除いて、絶縁材料１３で覆われている。絶縁材料１３は、例えば、プラスチック系のゴム材、またはビニール系もしくはシリコン系の絶縁チューブである。
【００２８】
導体接続部１２は、電気計測器（絶縁抵抗計）２と、導電端子１１とを接続する。
【００２９】
絶縁部１４は、導体接続部１２を覆う。絶縁部１４は、例えば、グラスファイバーまたはガラス繊維により形成される。
【００３０】
導体接続部１２は、端部筒状導体１２ａと、中間筒状導体１２ｂ、１２ｃ、１２ｄ、１２ｅを有する。なお、中間筒状導体の個数は、一以上であればよい。また、端部筒状導体１２ａと、中間筒状導体１２ｂ、１２ｃ、１２ｄ、１２ｅは、円筒形である。
【００３１】
図６は、計測用具１０が伸びきったときの、導体接続部１２の断面図である。
【００３２】
中間筒状導体１２ｂ、１２ｃ、１２ｄ、１２ｅの各々は、少なくともその一部が、他の中間筒状導体１２ｂ、１２ｃ、１２ｄまたは端部筒状導体１２ａの内部に移動可能に収容される。
【００３３】
図５および図６を参照して、中間筒状導体１２ｂは、その左端部分が、端部筒状導体１２ａの内部に収容される。中間筒状導体１２ｂは、端部筒状導体１２ａの内部を移動できる。
【００３４】
中間筒状導体１２ｃは、その左側部分が、中間筒状導体１２ｂの内部に収容される。中間筒状導体１２ｃは、中間筒状導体１２ｂの内部を移動できる。
【００３５】
中間筒状導体１２ｄは、その左側部分が、中間筒状導体１２ｃの内部に収容される。中間筒状導体１２ｄは、中間筒状導体１２ｃの内部を移動できる。
【００３６】
中間筒状導体１２ｅは、その左端部分が、中間筒状導体１２ｄの内部に収容される。中間筒状導体１２ｅは、中間筒状導体１２ｄの内部を移動できる。
【００３７】
なお、端部筒状導体１２ａおよび中間筒状導体１２ｂ、１２ｃ、１２ｄ、１２ｅは、各々がすっぽぬけないように、各々の右端の直径が、各々の中央部分の直径よりも小さくなっている。
【００３８】
図７は、端部筒状導体１２ａと中間筒状導体１２ｂとの継ぎ目の部分を示す図（図７（ａ））、中間筒状導体１２ｂと中間筒状導体１２ｃとの継ぎ目の部分を示す図（図７（ｂ））である。なお、図７は、導体接続部１２を伸ばしきったときの図である。
【００３９】
図７（ａ）を参照して、導体接続部１２を伸ばしきったときに、中間筒状導体１２ｂを収容している側（右側）の端部筒状導体１２ａの端部（「収容端部Ｅａ」という）の直径Ｄ２が、端部筒状導体１２ａの中央部分Ｍａの直径Ｄ１よりも小さい。なお、端部筒状導体１２ａの中央部分Ｍａは、端部筒状導体１２ａとの左端と右端とから等距離Ｘ１である部分である。
【００４０】
中間筒状導体１２ｂの外径は、端部筒状導体１２ａの中央部分Ｍａの内径とほぼ等しい。よって、中間筒状導体１２ｂを、図７（ａ）に示す状態から、さらに右に引っ張っても、端部筒状導体１２ａの収容端部Ｅａに、中間筒状導体１２ｂが引っかかるので、中間筒状導体１２ｂが端部筒状導体１２ａから抜けない。
【００４１】
図７（ｂ）を参照して、導体接続部１２を伸ばしきったときに、中間筒状導体１２ｃを収容している側（右側）の中間筒状導体１２ｂの端部（「収容端部Ｅｂ」という）の直径Ｄ４が、中間筒状導体１２ｂの中央部分Ｍｂの直径Ｄ３よりも小さい。なお、中間筒状導体１２ｂの中央部分Ｍｂは、中間筒状導体１２ｂとの左端と右端とから等距離Ｘ２である部分である。
【００４２】
中間筒状導体１２ｃの外径は、中間筒状導体１２ｂの中央部分Ｍｂの内径とほぼ等しい。よって、中間筒状導体１２ｃを、図７（ｂ）に示す状態から、さらに右に引っ張っても、中間筒状導体１２ｂの収容端部Ｅｂに、中間筒状導体１２ｃが引っかかるので、中間筒状導体１２ｃが中間筒状導体１２ｂから抜けない。
【００４３】
なお、中間筒状導体１２ｃ、１２ｄ、１２ｅの継ぎ目の部分は図７（ｂ）と同様であり説明を省略する。
【００４４】
図５に戻り、絶縁部１４は、端部筒状絶縁体１４ａと、中間筒状絶縁体１４ｂ、１４ｃ、１４ｄを有する。なお、中間筒状絶縁体の個数は、一以上であればよい。また、端部筒状絶縁体１４ａと、中間筒状絶縁体１４ｂ、１４ｃ、１４ｄとは、円筒形である。
【００４５】
中間筒状絶縁体１４ｂ、１４ｃ、１４ｄの各々は、その内部に、他の中間筒状絶縁体または端部筒状絶縁体１４ａの少なくとも一部を、移動可能に収容する。
【００４６】
図５を参照して、中間筒状絶縁体１４ｂは、その内部（左端）に、端部筒状導体１４ａの右端を収容する。端部筒状導体１４ａは、中間筒状絶縁体１４ｂの内部を移動できる。
【００４７】
中間筒状絶縁体１４ｃは、その内部（左端）に、中間筒状絶縁体１４ｂの右端を収容する。中間筒状絶縁体１４ｂは、中間筒状絶縁体１４ｃの内部を移動できる。
【００４８】
中間筒状絶縁体１４ｄは、その内部（左端）に、中間筒状絶縁体１４ｃの右端を収容する。中間筒状絶縁体１４ｃは、中間筒状絶縁体１４ｄの内部を移動できる。
【００４９】
なお、端部筒状導体１４ａおよび中間筒状絶縁体１４ｂ、１４ｃ、１４ｄは、各々がすっぽぬけないように、各々の左端の直径が、各々の中央部分の直径よりも小さくなっている。
【００５０】
図８は、端部筒状導体１４ａと中間筒状絶縁体１４ｂと中間筒状絶縁体１４ｃとの継ぎ目の部分を示す図である。なお、図８は、絶縁部１４を伸ばしきったときの図である（導体接続部１２は図示省略）。
【００５１】
図８を参照して、絶縁部１４を伸ばしきったときに、端部筒状絶縁体１４ａを収容している側の中間筒状絶縁体１４ｂの端部（「収容端部Ｅ’ｂ」という）の直径Ｄ１０が、中間筒状絶縁体１４ｂの中央部分Ｍ’ｂの直径Ｄ１１よりも小さい。なお、中間筒状絶縁体１４ｂの中央部分Ｍ’ｂは、中間筒状絶縁体１４ｂとの左端と右端とから等距離Ｘ３である部分である。
【００５２】
端部筒状絶縁体１４ａの外径は、中間筒状絶縁体１４ｂの中央部分Ｍ’ｂの内径とほぼ等しい。よって、端部筒状絶縁体１４ａを、図８に示す状態から、さらに左に引っ張っても、中間筒状絶縁体１４ｂの収容端部Ｅ’ｂに、端部筒状絶縁体１４ａが引っかかるので、端部筒状絶縁体１４ａが中間筒状絶縁体１４ｂから抜けない。
【００５３】
図８を参照して、絶縁部１４を伸ばしきったときに、中間筒状絶縁体１４ｂを収容している側の中間筒状絶縁体１４ｃの端部（「収容端部Ｅ’ｃ」という）の直径Ｄ１２が、中間筒状絶縁体１４ｃの中央部分Ｍ’ｃの直径Ｄ１３よりも小さい。なお、中間筒状絶縁体１４ｃの中央部分Ｍ’ｃは、中間筒状絶縁体１４ｃとの左端と右端とから等距離Ｘ４である部分である。
【００５４】
中間筒状絶縁体１４ｂの外径は、中間筒状絶縁体１４ｃの中央部分Ｍ’ｃの内径とほぼ等しい。よって、中間筒状絶縁体１４ｂを、図８に示す状態から、さらに左に引っ張っても、中間筒状絶縁体１４ｃの収容端部Ｅ’ｃに、中間筒状絶縁体１４ｂが引っかかるので、中間筒状絶縁体１４ｂが中間筒状絶縁体１４ｃから抜けない。
【００５５】
なお、中間筒状絶縁体１４ｃ、１４ｄの継ぎ目の部分は図８と同様であり説明を省略する。
【００５６】
ただし、端部筒状絶縁体１４ａおよび中間筒状絶縁体１４ｂ、１４ｃ、１４ｄの継ぎ目の部分を、図５および図８により説明したような形状（各々の左端の直径が、各々の中央部分の直径よりも小さい）とするだけでは、図５において、端部筒状絶縁体１４ａを強く左に引いた場合、端部筒状絶縁体１４ａおよび中間筒状絶縁体１４ｂ、１４ｃ、１４ｄの各々がすっぽぬけて、ばらばらになってしまう可能性がある。
【００５７】
そこで、中間筒状絶縁体１４ｂ、１４ｃ、１４ｄの収容端部Ｅ’ｂ、Ｅ’ｃなどに引っかかる板ばねを、端部筒状絶縁体１４ａおよび中間筒状絶縁体１４ｂ、１４ｃに配置するようにすることが好ましい。
【００５８】
図９は、板ばね１９ａ、１９ｂを配置したときの、中間筒状絶縁体１４ｂと中間筒状絶縁体１４ｃとの継ぎ目の部分を示す図である。
【００５９】
図９を参照して、絶縁部１４を伸ばしきったときに、中間筒状絶縁体１４ｃに収容されている中間筒状絶縁体１４ｂの部分（「収容部分１４２」という）の上に、中間筒状絶縁体１４ｃの収容端部Ｅ’ｃに引っかかる板ばね（引掛部材）１９ａ、１９ｂが配置されている。
【００６０】
図１０は、収容部分１４２および板ばね１９ａの平面図（図１０（ａ））、収容部分１４２の断面図（図１０（ｂ））である。
【００６１】
図１０を参照して、収容部分１４２の上面には板ばね１９ａが載せられている。収容部分１４２の下面には板ばね１９ｂが載せられている。板ばね１９ａの中心部分には突起１９２ａが設けられている。同様に、板ばね１９ｂの中心部分には突起１９２ｂが設けられている。
【００６２】
突起１９２ａ、１９２ｂは、それぞれ、収容部分１４２の孔１４２ａ、１４２ｂに挿入される。これにより、収容部分１４２の上面（下面）には板ばね１９ａ（１９ｂ）が固定される。
【００６３】
板ばね１９ａ、１９ｂにより、中間筒状絶縁体１４ｂの中心から離れる方向の力が発生する。
【００６４】
なお、板ばね１９ａ、１９ｂを、収容部分１４２に締め付けるリング１７を設けると、板ばね１９ａ、１９ｂをよりよく収容部分１４２に固定できる。
【００６５】
図１１は、収容部分１４２、板ばね１９ａおよびリング１７の平面図（図１１（ａ））、収容部分１４２の断面図（図１１（ｂ））である。板ばね１９ａ、１９ｂの端の方をリング１７で巻いて、収容部分１４２に締め付けている。
【００６６】
なお、図９、図１０および図１１と同様に、絶縁部１４を伸ばしきったときに、中間筒状絶縁体１４ｂに収容されている端部筒状絶縁体１４ａの部分（「収容部分」という）の上に、中間筒状絶縁体１４ｂの収容端部Ｅ’ｂに引っかかる板ばね（引掛部材）が配置されている。
【００６７】
また、図９、図１０および図１１と同様に、絶縁部１４を伸ばしきったときに、中間筒状絶縁体１４ｄに収容されている中間筒状絶縁体１４ｃの部分（「収容部分」という）の上に、中間筒状絶縁体１４ｄの収容端部に引っかかる板ばね（引掛部材）が配置されている。
【００６８】
図５に戻り、固定部１６は、導体接続部１２の導電端子１１側の端部と、絶縁部１４の導電端子１１側の端部とが固定される。
【００６９】
導体接続部１２の導電端子１１側の端部には、端部筒状導体１２ａが配置されている。絶縁部１４の導電端子１１側の端部には、端部筒状絶縁体１４ａが配置されている。よって、固定部１６に、端部筒状導体１２ａおよび端部筒状絶縁体１４ａの端部が固定されている。
【００７０】
端部筒状導体１２ａには、ねじ１２ｓが固定されている。ねじ１２ｓにより、端部筒状導体１２ａが固定部１６に固定される。端部筒状絶縁体１４ａの左端の端面１４ｓが、接着剤（例えば、エポキシ系接着剤）により、固定部１６に固定されている。
【００７１】
固定部１６は、絶縁材料１５で覆われている。絶縁材料１５は、例えば、プラスチック系のゴム材、またはビニール系もしくはシリコン系の絶縁チューブである。なお、固定部１６は導体であり、導電端子１１が固定部１６を介して導体接続部１２に接続されている。
【００７２】
また、導電端子１１は、固定部１６に、支点１１ａにおいて接続される。導電端子１１は、支点１１ａを中心に回転可能である。ただし、回転軸は、図５の紙面に垂直な方向である。
【００７３】
図３は、導電端子１１の近傍の正面図であり、導電端子１１を回転させて、導電端子１１の先端を絶縁材料１５に最も近づけた状態（図３（ａ））、導電端子１１を水平にした状態（図３（ｂ））、導電端子１１の先端を絶縁材料１５から最も遠ざけた状態（図３（ｃ））を示す。
【００７４】
図５に戻り、把持部１８は、絶縁部１４および導体接続部１２における、固定部１６とは反対側の部分（中間筒状絶縁体１４ｄおよび中間筒状導体１２ｅ）を覆う。把持部１８は、例えば、塩化ビニルのような絶縁パイプである。
【００７５】
なお、図５に示す状態において、固定部１６を押した方向（右方向）に、導体接続部１２および絶縁部１４が縮む。
【００７６】
図４を参照して、導体接続部１２および絶縁部１４が縮みきったときは、導体接続部１２の全てが絶縁部１４および把持部１８の内部に収容される。
【００７７】
次に、本考案の実施形態における計測用具１０の動作を説明する。
【００７８】
なお、導体接続部１２および絶縁部１４の伸び縮みの動作は、おおむねロッドアンテナの伸び縮みの動作と同様である。
【００７９】
まず、電気計測装置１の使用者は、図２（ａ）および図４に示すように計測用具１０を縮めて携帯し、被測定物である分電盤に赴く。使用者が、分電盤の下に到着すると、コード４Ｅを介してワニ口クリップ６を接地ポート２Ｅに、コード４Ｌを介して計測用具１０をライン用ポート２Ｌに接続する（図１参照）。
【００８０】
さらに、使用者は、計測用具１０の固定部１６を、図４の左側方向に引っ張る。固定部１６を引っ張った方向に、導体接続部１２および絶縁部１４が同じ長さだけ伸びる。計測用具１０が伸びきると、図２（ｂ）および図５に示すような状態になる。そこで、使用者は、導電端子１１の先端を、高所に配置された分電盤のブレーカー端子に接触させて、分電盤の対地絶縁抵抗を計測する。
【００８１】
対地絶縁抵抗の計測を終えれば、固定部１６を図５の右側方向に押し縮め、図２（ａ）および図４に示すような状態にする。
【００８２】
本考案の実施形態における（導電端子１１を支持する）計測用具１０によれば、導体接続部１２および絶縁部１４が縮みきったときは、導体接続部１２の全てが絶縁部１４および把持部１８の内部に収容される（図２（ａ）および図４を参照）。よって、導体接続部１２が、絶縁部１４および把持部１８により覆われて絶縁される。
【００８３】
しかも、固定部１６を引っ張った方向に、導体接続部１２および絶縁部１４が同じ長さだけ伸びる。よって、導体接続部１２を伸ばしても、導体接続部１２は、絶縁部１４および把持部１８により覆われて絶縁される（図２（ｂ）および図５を参照）。
【００８４】
よって、導体接続部１２に使用者が触れて感電すること、および、導体接続部１２が他の箇所（分電盤ボックスや他の測定対象電路）へ短絡することを防止できる。
【００８５】
しかも、本考案の実施形態における計測用具１０によれば、固定部１６に、端部筒状導体１２ａおよび端部筒状絶縁体１４ａの端部が固定されている。しかも、端部筒状導体１２ａの外径が、端部筒状絶縁体１４ａの内径よりも小さい。さらに、端部筒状絶縁体１４ａの内径は、中間筒状絶縁体１４ｂ、１４ｃ、１４ｄの内径よりも小さい。よって、固定部１６を図５の右側方向に押して、計測用具１０を縮める場合、端部筒状導体１２ａが、端部筒状絶縁体１４ａおよび中間筒状絶縁体１４ｂ、１４ｃ、１４ｄに衝突しないですむ。よって、計測用具１０を縮めやすい。
【図面の簡単な説明】
【００８６】
【図１】本考案の実施形態にかかる電気計測装置１の構成を示す図である。
【図２】計測用具１０の正面図であり、計測用具１０が縮みきったとき（図２（ａ））、計測用具１０を伸ばしきったとき（図２（ｂ））を示す。
【図３】導電端子１１の近傍の正面図であり、導電端子１１を回転させて、導電端子１１の先端を絶縁材料１５に最も近づけた状態（図３（ａ））、導電端子１１を水平にした状態（図３（ｂ））、導電端子１１の先端を絶縁材料１５から最も遠ざけた状態（図３（ｃ））を示す。
【図４】計測用具１０が縮みきったときに、絶縁材料１３、１５、中間筒状絶縁体１４ｄ、把持部１８を透視して、内部構造を図示した正面図である。
【図５】計測用具１０が伸びきったときに、絶縁材料１３、１５、絶縁部１４、把持部１８を透視して、内部構造を図示した正面図である。
【図６】計測用具１０が伸びきったときの、導体接続部１２の断面図である。
【図７】端部筒状導体１２ａと中間筒状導体１２ｂとの継ぎ目の部分を示す図（図７（ａ））、中間筒状導体１２ｂと中間筒状導体１２ｃとの継ぎ目の部分を示す図（図７（ｂ））である。
【図８】端部筒状導体１４ａと中間筒状絶縁体１４ｂと中間筒状絶縁体１４ｃとの継ぎ目の部分を示す図である。
【図９】板ばね１９ａ、１９ｂを配置したときの、中間筒状絶縁体１４ｂと中間筒状絶縁体１４ｃとの継ぎ目の部分を示す図である。
【図１０】収容部分１４２および板ばね１９ａの平面図（図１０（ａ））、収容部分１４２の断面図（図１０（ｂ））である。
【図１１】収容部分１４２、板ばね１９ａおよびリング１７の平面図（図１１（ａ））、収容部分１４２の断面図（図１１（ｂ））である。
【符号の説明】
【００８７】
１  電気計測装置
２  電気計測器（絶縁抵抗計）
４Ｅ、４Ｌ  コード
６  ワニ口クリップ
１０  計測用具
１１  導電端子
１２  導体接続部
１２ａ  端部筒状導体
１２ｂ、１２ｃ、１２ｄ、１２ｅ  中間筒状導体
１２ｓ  ねじ
１３  絶縁材料
１４  絶縁部
１４ａ  端部筒状導体
１４ｂ、１４ｃ、１４ｄ  中間筒状絶縁体
１４ｓ  端面
１４２  収容部分
１５  絶縁材料
１６  固定部
１７  リング
１８  把持部
１９ａ、１９ｂ  板ばね
Ｅａ、Ｅｂ、Ｅ’ｂ、Ｅ’ｃ  収容端部
Ｍａ、Ｍｂ、Ｍ’ｂ、Ｍ’ｃ  中央部分
【図１】
0003148543.tif 000003
【図２】
0003148543.tif 000004
【図３】
0003148543.tif 000005
【図４】
0003148543.tif 000006
【図５】
0003148543.tif 000007
【図６】
0003148543.tif 000008
【図７】
0003148543.tif 000009
【図８】
0003148543.tif 000010
【図９】
0003148543.tif 000011
【図１０】
0003148543.tif 000012
【図１１】
0003148543.tif 000013